(57)【特許請求の範囲】
【請求項１】
開口を有し、被梱包物を収容する本体部と、
前記開口を閉じる第１蓋部と、
前記第１蓋部に外側から重ねられる第２蓋部と、
を備え、
前記第１蓋部は、前記被梱包物に向かって折り返されて、前記被梱包物に接触する接触部を有し、
前記接触部は、前記第１蓋部、及び前記第２蓋部が閉じられた場合に、前記第２蓋部の外側に突出し、
前記第１蓋部は、開口を有し、
前記第１蓋部の前記開口は、前記接触部が折り返された際に、前記接触部を露出させる、梱包材。
【請求項２】
前記接触部は、長尺なベロ状に形成され、
前記接触部の基端部は、前記第１蓋部の縁部からのび、
前記接触部の先端部は、前記第１蓋部、及び前記第２蓋部が閉じられた場合に、前記第２蓋部の外側に突出する、請求項１に記載の梱包材。
【請求項３】
前記第２蓋部は、前記第１蓋部の一部を露出させる凹部を有する、請求項１または請求項２に記載の梱包材。
【請求項４】
前記凹部は、前記接触部が突出する位置に形成される、請求項３に記載の梱包材。
【請求項５】
開口を有し、被梱包物を収容する本体部と、
前記開口を閉じる第１蓋部と、
前記第１蓋部に外側から重ねられる第２蓋部と、
を備え、
前記第１蓋部は、前記被梱包物に向かって折り返されて、前記被梱包物に接触する接触部を有し、
前記接触部は、前記第１蓋部、及び前記第２蓋部が閉じられた場合に、前記第２蓋部の外側に突出し、
前記第２蓋部は、前記第１蓋部の一部を露出させる凹部を有し、
前記凹部は、前記接触部が突出する位置に形成される、梱包材。
【発明の詳細な説明】
【技術分野】
【０００１】
本発明は、梱包材に関する。
【背景技術】
【０００２】
特許文献１に記載の包装ケースは、本体部と、蓋部とを備える。本体部は、箱状である。本体部は、上面に開口を有する。蓋部は、第１蓋部と、第２蓋部とを有する。第１蓋部は、本体部内に折り返されて、被梱包物の側面に接触する。第２蓋部は、第１蓋部の上端部に接触して開口を閉じる。第１蓋部は、突出片を有する。突出片は、第１蓋部の上端部から開口に向かって突出する。
【先行技術文献】
【特許文献】
【０００３】
【特許文献１】特開２００９−１９０７７６号公報
【発明の概要】
【発明が解決しようとする課題】
【０００４】
特許文献１に記載の梱包材（包装ケース）では、被梱包物を梱包する際に、接触部（突出片）を折り返して、被梱包物の上端部に接触させる。接触部は、被梱包物を支持して、梱包材内でのがたつきを抑制する。特許文献１に記載の梱包材では、被梱包物の梱包後に、接触部が第２蓋部によって覆われるが、目視によって接触部を確認する点については、いまだ改善の余地が残されている。
【０００５】
本発明は上記課題に鑑みてなされたものであり、その目的は、被梱包物を梱包した後に、接触部が折り返されていないことを目視によって確認できる梱包材を提供することにある。
【課題を解決するための手段】
【０００６】
本発明の梱包材は、本体部と、第１蓋部と、第２蓋部とを備える。前記本体部は、開口を有する。前記本体部は、被梱包物を収容する。前記第１蓋部は、前記開口を閉じる。前記第２蓋部は、前記第１蓋部に外側から重ねられる。前記第１蓋部は、接触部を有する。前記接触部は、前記被梱包物に向かって折り返されて、前記被梱包物に接触する。前記接触部は、前記第１蓋部、及び前記第２蓋部が閉じられた場合に、前記第２蓋部の外側に突出する。
【発明の効果】
【０００７】
本発明の梱包材によれば、被梱包物を梱包した後に、接触部が折り返されていないことを目視によって確認できる。
【図面の簡単な説明】
【０００８】
【図１】本発明の実施形態に係る梱包材を示す斜視図である。
【図２】被梱包物としてのトナーコンテナを示す斜視図である。
【図３】図１の梱包材が展開されたシートを示す図である。
【図４】図１に示すＩＶ−ＩＶ断面図である。
【図５】梱包材を示す斜視図である。
【発明を実施するための形態】
【０００９】
以下、図面を参照して本発明に係る実施形態を説明する。ただし、本発明は、以下の実施形態に限定されない。なお、図中、同一、又は相当部分については、同一の参照符号を付して説明を繰り返さない。
【００１０】
図１は、本発明の実施形態に係る梱包材１を示す斜視図である。図１に示すように、梱包材１は、本体部１１と、蓋部７とを備える。梱包材１は、段ボールのような紙製である。梱包材１は、矩形の箱状に形成される。
【００１１】
図１において、前板部４が梱包材１の外側を向く方向を前方とし、前後方向を規定する。また、前板部４に向かって左手側を左方とし、左右方向を規定する。また、前後方向、及び左右方向と直交する方向を上下方向と規定する。
【００１２】
本体部１１は、開口１２を有する。本実施形態の本体部１１は、上面に開口１２を有する。本体部１１は、上面開放の箱状に形成される。本体部１１は、側板部２と、側板部３と、前板部４と、背板部５と、底板部６とを有する。本体部１１は、被梱包物を収容する。蓋部７は、開口１２を閉じる。
【００１３】
図２は、被梱包物としてのトナーコンテナＰを示す斜視図である。図２では、トナーコンテナＰが梱包材１に収容された際の梱包材１を基準として、前後方向、左右方向、及び上下方向を規定する。トナーコンテナＰは、トナーを収容する。トナーコンテナＰは、トナーを用いる画像形成装置の交換部品である。画像形成装置は、例えば、コピー機能、プリンター機能、及びファクシミリ機能のうち少なくとも１つの機能を有する。
【００１４】
トナーコンテナＰは、補給トナー収容部Ｐ１と、回収トナー収容部Ｐ２と、シャッター部材Ｐ３と、ガイド溝Ｐ４とを有する。補給トナー収容部Ｐ１は、内部にトナーを収容する。回収トナー収容部Ｐ２は、空洞である。回収トナー収容部Ｐ２には、廃トナーが収容される。廃トナーは、トナーコンテナＰが画像形成装置に取り付けられた後に、回収トナー収容部Ｐ２に収容される。
【００１５】
シャッター部材Ｐ３は、前後方向に移動可能に構成される。シャッター部材Ｐ３は、前方位置において、補給トナー収容部Ｐ１の補給口を閉じる。シャッター部材Ｐ３は、後方に移動されて、補給トナー収容部Ｐ１の補給口を露出させる。シャッター部材Ｐ３は、トナーコンテナＰを画像形成装置に取り付ける際に後方に移動される。ガイド溝Ｐ４は、後方に移動するシャッター部材Ｐ３をガイドする。
【００１６】
図３は、図１の梱包材１が展開されたシート１０を示す図である。詳しくは、図３のシート１０は、梱包材１の外表面を示す図である。また、図３では、前板部４を基準として、左右方向、及び上下方向を規定する。
【００１７】
梱包材１は、図３に示す鎖線でシート１０を折り返して形成される。また、梱包材１は、シート１０の一部を接着層によって接着して形成される。接着層は、例えば、糊のような接着剤から形成される。シート１０の厚さは、例えば、５ｍｍである。
【００１８】
シート１０は、左右方向に沿ってのびる鎖線によって、側部１１ａと、底板部６と、蓋部７とに区分される。側部１１ａは、側板部２、側板部３と、前板部４と、背板部５と、接着部５ａとから構成される。接着部５ａと、背板部５と、側板部２と、前板部４と、側板部３とは、この順に側部１１ａの左方から右方に連接する。
【００１９】
接着部５ａは、所定の幅に形成される。接着部５ａの外表面には、接着層が形成される。接着層は、例えば、塗布処理のような積層処理によって形成される。接着部５ａは、梱包材１を組み立てる際に、接着層によって側板部３の内表面に接着される。
【００２０】
底板部６は、背板底部６５と、側板底部６２と、前板底部６４と、側板底部６３とを有する。背板底部６５は、背板部５の下方に連接する。側板底部６２は、側板部２の下方に連接する。前板底部６４は、前板部４の下方に連接する。側板底部６３は、側板部３の下方に連接する。
【００２１】
底板部６を組み立てる際には、まず、側板底部６２と、側板底部６３とを折り返した後に、背板底部６５を折り返す。次に、前板底部６４を折り返す。背板底部６５の先端部は、凹部を有する。前板底部６４の先端部は、前板底部６４を折り返した際に、背板底部６５の凹部を介して背板底部６５の内側に挿入される。この結果、側板底部６２、側板底部６３、前板底部６４、及び背板底部６５は、底板部６を構成する。
【００２２】
蓋部７は、第１蓋部としての前板蓋部８と、第２蓋部としての背板蓋部９と、側板蓋部７２と、側板蓋部７３とを有する。背板蓋部９は、背板部５の上方に連接する。側板蓋部７２は、側板部２の上方に連接する。前板蓋部８は、前板部４の上方に連接する。側板蓋部７３は、側板部３の上方に連接する。
【００２３】
側板蓋部７２は、第１支持片７２ａと、第２支持片７２ｂと、第３支持片７２ｃとを有する。第１支持片７２ａは、側板部２の上方に連接する。第２支持片７２ｂは、第１支持片７２ａの上方に連接する。第３支持片７２ｃは、第２支持片７２ｂの左方に連接する。
【００２４】
側板蓋部７３は、第１支持片７３ａと、第２支持片７３ｂと、第３支持片７３ｃとを有する。第１支持片７３ａは、側板部３の上方に連接する。第２支持片７３ｂは、第１支持片７３ａの上方に連接する。第３支持片７３ｃは、第２支持片７３ｂの右方に連接する。
【００２５】
背板蓋部９は、係合部９１、９２と、開封部９３と、凹部９４、９５とを有する。係合部９１、９２は、背板蓋部９の先端部から突出して形成される。係合部９１は、先端部が外方（左方）に屈折するＬ字状に形成される。係合部９２は、先端部が外方（右方）に屈折するＬ字状に形成される。
【００２６】
開封部９３は、一対のミシン目部９３ａと、切断部９３ｂとを有する。ミシン目部９３ａは、左右方向に沿って形成される。ミシン目部９３ａは、背板蓋部９の左右の縁にわたって形成される。ミシン目部９３ａは、背板蓋部９の上下方向の中央部に形成される。ミシン目部９３ａは、切込成形によって形成される。切断部９３ｂは、ミシン目部９３ａが形成されることによって、ミシン目部９３ａの間に形成される。
【００２７】
凹部９４、９５は、蓋部７が閉じられた際に、前板蓋部８の一部を露出させる。凹部９４は、背板蓋部９の外方（左方）の縁部に形成される。凹部９５は、背板蓋部９の外方（右方）の縁部に形成される。凹部９４、９５は、縁部の辺を円弧状に切り欠いて形成される。凹部９４、９５は、例えば、隙間なく配置された複数の梱包材１の中から１つの梱包材１を取り出す際に、例えば、作業者が指を引っ掛ける把手として機能する。
【００２８】
前板蓋部８は、係合口８１、８２と、接触部８３と、開口８４とを有する。係合口８１、８２は、前板蓋部８の下端部に形成された開口である。係合口８１には、係合部９１が挿入される。係合口８２には、係合部９２が挿入される。
【００２９】
接触部８３は、長尺なベロ状に形成される。接触部８３は、基端部８３ａと、先端部８３ｂとを有する。基端部８３ａは、前板蓋部８の縁部からのびる。本実施形態の基端部８３ａは、前板蓋部８の左方の縁部から左方へとのびる。先端部８３ｂは、基端部８３ａの左方に連接する。本実施形態の先端部８３ｂは、側板部２と前板部４とが折り返される鎖線の外側、具体的には、側板蓋部７２が形成される位置に突出して形成される。
【００３０】
開口８４は、前板蓋部８において、接触部８３の右方に形成される。また、開口８４の中心から接触部８３までの間隔は、例えば、基端部８３ａの左右方向の長さと同程度である。本実施形態の前板蓋部８では、開口８４が形成されたことによって、接触部８３が折り返された際に、開口８４を介して先端部８３ｂを目視によって確認することができる。
【００３１】
図４は、図１に示すＩＶ−ＩＶ断面図である。詳しくは、図４は、トナーコンテナＰを収容する梱包材１の縦断面を示す図である。図４に示すように、蓋部７を組み立てる際には、まず、側板蓋部７２、及び側板蓋部７３が折り返される。側板蓋部７２を折り返す際には、第１支持片７２ａ、第２支持片７２ｂ、及び第３支持片７２ｃをそれぞれ折り返す。この結果、側板蓋部７２は、トナーコンテナＰの左側を支持する第１支持部７２ｄを構成する。第１支持部７２ｄは、トナーコンテナＰの左側の前面部に接触して、トナーコンテナＰを支持する。
【００３２】
側板蓋部７３を折り返す際には、第１支持片７３ａ、第２支持片７３ｂ、及び第３支持片７３ｃをそれぞれ折り返す。この結果、側板蓋部７３は、トナーコンテナＰの右側を支持する第２支持部７３ｄを構成する。第２支持部７３ｄは、トナーコンテナＰの右側の前面部に接触して、トナーコンテナＰを支持する。第１支持部７２ｄ、及び第２支持部７３ｄは、トナーコンテナＰが梱包材１の内部でがたつくのを抑制できる。
【００３３】
次に、前板蓋部８が折り返される。前板蓋部８は、側板蓋部７２、及び側板蓋部７３が折り返された後に、開口１２を閉じる。前板蓋部８を折り返す際には、接触部８３が折り返される。接触部８３の基端部８３ａは、上方から右方へと折り返される。
【００３４】
接触部８３の先端部８３ｂは、開口８４を介して本体部１１の開口１２に挿入される。開口１２に挿入された先端部８３ｂは、トナーコンテナＰのガイド溝Ｐ４に挿入される。接触部８３は、先端部８３ｂによってトナーコンテナＰを支持し、トナーコンテナＰが梱包材１の内部でがたつくのをより一層抑制できる。また、トナーコンテナＰのガイド溝Ｐ４に挿入された先端部８３ｂは、シャッター部材Ｐ３の後端部に接触する。この結果、接触部８３は、シャッター部材Ｐ３の移動を規制して、シャッター部材Ｐ３の意図しない開放を防止できる。
【００３５】
次に、背板蓋部９が折り返される。背板蓋部９は、閉じられた前板蓋部８に外側から重ねられる。背板蓋部９が折り返される際に、係合部９１、９２は、係合口８１、８２に挿入される。係合部９１、９２の先端部は、係合口８１、８２に挿入される際に折り返される。したがって、係合部９１、９２の先端部は、前板蓋部８の内側で開いて、前板蓋部８の内表面に係合する。なお、蓋部７は、前板蓋部８の外表面に接着層が形成され、前板蓋部８と背板蓋部９とが接着されてもよい。
【００３６】
図５は、梱包材１を示す斜視図である。詳しくは、図５に示す梱包材１は、接触部８３が折り返されていない。図５に示すように、接触部８３は、前板蓋部８、及び背板蓋部９が閉じられた場合に、背板蓋部９の外側に突出する。詳しくは、接触部８３は、接触部８３が折り返されていない場合に、接触部８３の先端部８３ｂの一部が背板蓋部９の外側に突出する。
【００３７】
本実施形態の梱包材１では、トナーコンテナＰを梱包した後に、接触部８３が折り返されていないことを目視によって確認できる。したがって、接触部８３が目視によって確認された場合には、トナーコンテナＰが再度梱包される。この結果、梱包材１は、接触部８３が折り返されていない場合にトナーコンテナＰに生じる、例えばトナー漏れのような不具合を防止することができる。
【００３８】
背板蓋部９の凹部９５は、接触部８３の先端部８３ｂが背板蓋部９から突出する位置に形成されることが望ましい。凹部９５が先端部８３ｂの突出する位置に形成されることによって、突出する接触部をより大きく確認することができる。この結果、接触部８３が折り返されていない場合の見落としが抑制される。
【００３９】
以上、図１から図５を参照して、本実施形態に係る梱包材１について説明した。但し、本発明は、上記の実施形態に限られるものではなく、その要旨を逸脱しない範囲で種々の態様において実施することが可能である。
【００４０】
例えば、本発明の実施形態では、図４を参照して説明したように、接触部８３において、基端部８３ａは、上方から右方へと折り返されたが、本発明はこれに限定されない。基端部８３ａは、先端部８３ｂが開口８４から露出するように折り返される。例えば、基端部８３ａは、下方から右方へと折り返されてもよい。
【００４１】
また、例えば、本発明の実施形態では、側板蓋部７２、及び側板蓋部７３が、凹部９４、９５の位置に対応する開口を有してもよい。側板蓋部７２、及び側板蓋部７３に形成された開口によって、例えば、作業者は、凹部９４、９５を介して側板蓋部７２、及び側板蓋部７３の内表面に指を引っ掛けることができる。この結果、隙間なく配置された複数の梱包材１の中から１つの梱包材１を容易に取り出すことができる。
【００４２】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の材質、及び形状等は一例であって、特に限定されるものではなく、本発明の効果から実質的に逸脱しない範囲で種々の変更が可能である。
【産業上の利用可能性】
【００４３】
本発明は、梱包材に関するものであり、包材によって被梱包物が正しく梱包されているかを確認するのに有用である。
【符号の説明】
【００４４】
１        梱包材
８        前板蓋部
９        背板蓋部
１１      本体部
１２      開口
８３      接触部
Ｐ        トナーコンテナ
【図１】
0006540604.tif 000002
【図２】
0006540604.tif 000003
【図３】
0006540604.tif 000004
【図４】
0006540604.tif 000005
【図５】
0006540604.tif 000006